(57)【要約】【課題】モータによりインペラを駆動して流体を流通させたときに、インペラがポンプ室を区画するケース体の側に引き寄せられることを抑制できるポンプ装置を提供すること。【解決手段】インペラ７はケース体５とモータ３の端壁部４により区画されたポンプ室６に配置される。インペラ７はシュラウド１２２からモータ３の端壁部４の側に突出する裏羽根１２５を有する。インペラ７が駆動されてポンプ室６を流体が流通すると、裏羽根１２５は、インペラ７とモータ３の端壁部４との間から流体Ｗ３を掻き出す。これにより、インペラ７とモータ３の端壁部４との間に負圧Ｆ２が発生するので、この負圧Ｆ２によって、インペラ７がモータ３の端壁部４の側に引き寄せられる。裏羽根１２５は当該インペラ７を端壁部４の側に吸引する吸引力（負圧Ｆ２）を発生させる吸引力発生機構１４０として機能する。【選択図】図１３
2018178820.tif 000002
【特許請求の範囲】
【請求項１】
出力軸を備えるモータと、
前記出力軸が突出する前記モータの出力側の端壁部に被せられたケース体と、
前記端壁部と前記ケース体とによって区画されたポンプ室と、
前記ケース体に設けられて前記ポンプ室に連通する流体吸入口および流体吐出口と、
前記出力軸に取り付けられて前記ポンプ室に配置されたインペラと、
前記モータにより前記インペラが駆動されて前記流体吸入口から前記流体吐出口に向かって前記ポンプ室を流体が流通すると当該インペラを前記端壁部の側に吸引する吸引力を発生させる吸引力発生機構と、
を有することを特徴とするポンプ装置。
【請求項２】
前記インペラは、前記出力軸の軸線と交差する方向に広がるシュラウドと、前記シュラウドから前記端壁部とは反対側に突出する表羽根と、前記シュラウドから前記端壁部の側に突出する裏羽根と、を有し、
前記吸引力発生機構は、前記裏羽根を備えることを特徴とする請求項１に記載のポンプ装置。
【請求項３】
前記シュラウドは、前記軸線と垂直に広がり、
前記裏羽根は、径方向において前記シュラウドから前記端壁部の側への突出量が一定であり、
前記軸線方向から見た場合に前記裏羽根の回転軌跡と重なる前記端壁部の環状の対向面は、前記裏羽根と平行な平面であることを特徴とする請求項２に記載のポンプ装置。
【請求項４】
前記裏羽根の突出量は、前記シュラウドと前記対向面との間の離間距離の５０％以上であることを特徴とする請求項３に記載のポンプ装置。
【請求項５】
前記裏羽根と前記対向面との間の第１距離は、前記ケース体において前記軸線方向で前記対向面と対向するケース体側対向面と前記表羽根との間の第２距離よりも短いことを特徴とする請求項３または４のうちのいずれか一項に記載のポンプ装置。
【請求項６】
前記裏羽根は、前記軸線回りの等角度間隔で複数設けられていることを特徴とする請求項２から５のうちのいずれか一項に記載のポンプ装置。
【請求項７】
前記インペラは、前記軸線と同軸で前記シュラウドから前記端壁部の側に突出する筒部と、前記筒部の外周側に当該筒部と同軸に設けられた環状リブと、を備え、
前記出力軸は、前記筒部の中心穴に挿入されており、
前記裏羽根は、前記環状リブの外周面から外周側に延びており、
前記裏羽根における前記環状リブの外周面から外周側の端までの長さ寸法は、前記筒部と前記環状リブとの間隔以上であることを特徴とする請求項２から６のうちのいずれか一項に記載のポンプ装置。
【請求項８】
前記モータは、前記出力軸を備えるロータと、前記出力軸を回転可能に支持する軸受部材と、を備え、
前記軸受部材は、反出力側から前記ロータが摺接する摺動面を備え、
前記ロータは、前記出力軸を外周側から保持する樹脂製の保持部材と、前記保持部材に保持された磁石と、前記出力軸に固定されて当該出力軸から外周側に突出して前記保持部材に保持された第１金属部材と、前記摺動面に摺接するロータ側摺動面を備え、前記第１金属部材が前記反出力側から当接した状態で前記保持部材に保持された第２金属部材と、を備えることを特徴とする請求項１から７のうちのいずれか一項に記載のポンプ装置。
【請求項９】
前記出力軸は、金属製であることを特徴とする請求項１から７のうちのいずれか一項に記載のポンプ装置。
【発明の詳細な説明】
【技術分野】
【０００１】
本発明は、ポンプ室内のインペラをモータにより駆動するポンプ装置に関する。
【背景技術】
【０００２】
流体吸入口および流体吐出口を備えるポンプ室と、ポンプ室内に配置されたインペラと、インペラを回転させるモータとを備えるポンプ装置は、特許文献１に記載されている。同文献のポンプ装置では、モータは、ロータと、ロータの外周側に配置された円筒状のステータと、ハウジングと、を備える。ハウジングは、ロータとステータとの間を隔てる隔壁部材と、隔壁部材の外周側でステータを覆う樹脂製の封止部と、を備える。ポンプ室は、ハウジングと、ハウジングの上方に被せられたケース体と、によって区画されている。流体吸入口および流体吐出口はケース体に設けられている。
【０００３】
ロータは、筒状のスリーブと、スリーブの外周側に環状に配列された磁石と、スリーブと磁石とを保持する保持部材とを備える。スリーブには固定軸が挿入されており、ロータは固定軸に回転可能に支持されている。固定軸における軸線方向の途中には外周側に広がる軸受部材が取り付けられている。軸受部材はロータのスラスト軸受として機能するものであり、軸受部材には軸線方向の一方側からスリーブが摺接する。インペラは保持部材に固定されて、ロータとともにポンプ室内に位置する。
【先行技術文献】
【特許文献】
【０００４】
【特許文献１】特開２０１６−３５８０号公報
【発明の概要】
【発明が解決しようとする課題】
【０００５】
モータが動作してインペラが回転すると、流体吸入口から流体吐出口に向かってポンプ室内を流体が流れる。ここで、ポンプ室を通過する流体がインペラと隔壁部材との間に流入すると、これらの間の圧力が高まるので、インペラには、当該インペラをケース体の側に向かって移動させる力が働く。このような力によってインペラがケース体の側に付勢されると、ロータ（スリーブ）は軸受部材に押し付けられた状態となる。この結果、軸受部材とロータとの間には摺動によって大きな熱が発生するので、ロータを構成するスリーブや保持部材が樹脂製である場合、或いは、ポンプ室を区画している部材が樹脂製である場合には、これら樹脂製の部材が発生した熱により変形してしまう可能性がある。
【０００６】
そこで、本発明の課題は、このような点に鑑みて、モータによりインペラを駆動して流体を流通させたときに、インペラがポンプ室を区画するケース体の側に引き寄せられることを抑制できるポンプ装置を提供することにある。
【課題を解決するための手段】
【０００７】
上記の課題を解決するため、本発明のポンプ装置は、出力軸を備えるモータと、前記出力軸が突出する前記モータの出力側の端壁部に被せられたケース体と、前記端壁部と前記ケース体とによって区画されたポンプ室と、前記ケース体に設けられて前記ポンプ室に連通する流体吸入口および流体吐出口と、前記出力軸に取り付けられて前記ポンプ室に配置されたインペラと、前記モータにより前記インペラが駆動されて前記流体吸入口から前記流体吐出口に向かって前記ポンプ室を流体が流通すると当該インペラを前記端壁部の側に吸引する吸引力を発生させる吸引力発生機構と、を有することを特徴とする。
【０００８】
本発明のポンプ装置は、モータによりインペラが駆動されて流体吸入口から流体吐出口に向かってポンプ室を流体が流通したときに、吸引力発生機構がインペラをモータの端壁部の側に吸引する。従って、ポンプ室を通過する流体がインペラとモータの端壁部との間に流入し、これらの間の圧力が上昇してインペラをケース体の側に移動させる力が働く場合でも、その力を抑制できる。これにより、インペラが接続された出力軸が、ケース体の側に付勢される力を抑制できるので、モータにおいて、出力軸を備えるロータが、ロータに出力側から摺接する軸受部材に押し付けられることを抑制できる。よって、ロータと軸受部材との摺動により発生する熱を抑制できる。
【０００９】
本発明において、前記インペラは、前記出力軸の軸線と交差する方向に広がるシュラウドと、前記シュラウドから前記端壁部とは反対側に突出する表羽根と、前記シュラウドから前記端壁部の側に突出する裏羽根と、を有し、前記吸引力発生機構は、前記裏羽根を備えるものとすることができる。インペラがシュラウドからモータの端壁部の側に突出する裏羽根を備えれば、裏羽根によってインペラと端壁部との間から外周側に掻き出される流体が、インペラと端壁部との間に流入しようとする流体と衝突する。これにより、インペラと端壁部との間への流体の流入が抑制されるので、これらの間で圧力が上昇することを抑制できる。また、裏羽根によってインペラと端壁部との間から流体が外周側に掻き出されると、インペラと端壁部との間には負圧が発生する。従って、この負圧により、インペラをモータの端壁部の側に吸引できる。すなわち、インペラの裏羽根は、インペラを端壁部の側に吸引する吸引力を発生させる吸引力発生機構を構成する。
【００１０】
本発明において、インペラが駆動されてポンプ室を流体が流通する際に、裏羽根によってインペラと端壁部との間から流体を外周側に掻き出すためには、前記シュラウドは、前記軸線と垂直に広がり、前記裏羽根は、径方向において前記シュラウドから前記端壁部の側への突出量が一定であり、前記軸線方向から見た場合に前記裏羽根の回転軌跡と重なる前記端壁部の環状の対向面は、前記裏羽根と平行な平面であることが望ましい。
【００１１】
本発明において、前記裏羽根の突出量は、前記シュラウドと前記対向面との間の離間距離の５０％以上であることが望ましい。このようにすれば、裏羽根とモータの端壁部との間の間隔を狭くすることができるので、裏羽根によってインペラと端壁部との間から流体を外周側に掻き出すことが容易となる。
【００１２】
本発明において、前記裏羽根と前記対向面との間の第１距離は、前記ケース体において前記軸線方向で前記対向面と対向するケース体側対向面と前記表羽根との間の第２距離よりも短いことが望ましい。すなわち、裏羽根とモータの端壁部との間の間隔が、表羽根とケース体との間の間隔よりも狭いことが望ましい。このようにすれば、裏羽根とモータの端壁部との間に、負圧を発生させやすい。
【００１３】
本発明において、裏羽根によってインペラと端壁部との間から流体を外周側に掻き出すためには、前記裏羽根は、前記軸線回りの等角度間隔で複数設けられていることが望ましい。
【００１４】
本発明において、前記インペラは、前記軸線と同軸で前記シュラウドから前記端壁部の側に突出する筒部と、前記筒部の外周側に当該筒部と同軸に設けられた環状リブと、を備え、前記出力軸は、前記筒部の中心穴に挿入されており、前記裏羽根は、前記環状リブの外周面から外周側に延びており、前記裏羽根における前記環状リブの外周面から外周側の端までの長さ寸法は、前記筒部と前記環状リブとの間隔以上であることが望ましい。このようにすれば、筒部に挿入された出力軸によりインペラを傾斜しないように保持できる。また、環状リブにより、出力軸の周囲に流体に含まれる塵などが達することを防止あるいは抑制できる。さらに、裏羽根における前記環状リブの外周面から外周側の端までの長さ
寸法が筒部と環状リブとの間隔以上なので、裏羽根の径方向の長さ寸法を確保できる。これにより、裏羽根によってインペラと端壁部との間から流体を外周側に掻き出すことが容易となる。
【００１５】
本発明において、前記モータは、前記出力軸を備えるロータと、前記出力軸を回転可能に支持する軸受部材と、を備え、前記軸受部材は、前記反出力側から前記ロータが摺接する摺動面を備え、前記ロータは、前記出力軸を外周側から保持する樹脂製の保持部材と、前記保持部材に保持された磁石と、前記出力軸に固定されて当該出力軸から外周側に突出して前記保持部材に保持された第１金属部材と、前記摺動面に摺接するロータ側摺動面を備え、前記第１金属部材が前記反出力側から当接した状態で前記保持部材に保持された第２金属部材と、を備えることが望ましい。
【００１６】
このようにすれば、出力軸を外周側から保持する樹脂製の保持部材が、出力軸に固定されて出力軸から外周側に突出する第１金属部材を保持する。従って、出力軸に対する保持部材の位置が軸線方向で変化することを防止あるいは抑制できる。これにより、保持部材に保持された磁石の位置が軸線方向で変化してしまうことを防止あるいは抑制できるので、ロータの回転精度を維持できる。また、保持部材が出力軸に固定された第１金属部材を保持するので、軸受部材とロータとの摺動により発生した熱を、金属部材を介して、出力軸の側に放出できる。従って、軸受部材とロータとの摺動により発生した熱により、樹脂製の保持部材が変形することを防止或いは抑制できる。また、ロータにおいて軸受部材と摺動する部分は第２金属部材なので、摺動により発生する熱によって軸受部材と摺動する部分が変形することがない。さらに、第２金属部材には、出力軸に固定された第１金属部材が摺動面とは反対側から当接する。従って、出力軸がケース体の側に引き寄せられた場合でも、第２金属部材の位置が軸線方向で摺動面から離間する方向に変化することがない。さらに、第２金属部材には第１金属部材が当接するので、軸受部材とロータとの摺動により発生する熱は、第２金属部材から、第１金属部材を介して、出力軸の側に放出される。また、第２金属部材は、保持部材に保持されており、出力軸には固定されていない。従って、出力軸への固定によって第２金属部材が歪むことを回避できる。これによりロータ側摺動面の平面度を維持できるので、ロータの回転精度を確保することが容易となる。
【００１７】
本発明において、前記出力軸は、金属製であることが望ましい。このようにすれば、ロータと軸受部材との摺動により発生した熱を、出力軸を介して、放出しやすい。
【発明の効果】
【００１８】
本発明によれば、インペラの裏羽根が、ポンプ室内において、インペラとモータの端壁部との間から流体を外周側に掻き出す。従って、ポンプ室を流体が流通したときに、流体がインペラとモータの端壁部との間に流入し、これらの間の圧力が上昇することを抑制できる。また、インペラの裏羽根が、インペラとモータの端壁部との間から流体を外周側に掻き出すので、インペラとモータの端壁部との間には負圧が発生する。この負圧は、インペラをモータの側に引き寄せる吸引力なので、インペラがケース体の側に付勢されることが抑制される。この結果、インペラが接続された出力軸がケース体の側に付勢されることを抑制できるので、モータにおいて、出力軸を備えるロータが、ロータに出力側から摺接する軸受部材に押し付けられることを抑制できる。よって、ロータと軸受部材との摺動により発生する熱を抑制できる。
【図面の簡単な説明】
【００１９】
【図１】本発明の実施の形態にかかるポンプ装置の外観斜視図である。
【図２】図１のポンプ装置のＡ−Ａ線断面図である。
【図３】ポンプ装置をモータの出力側から見た分解斜視図である。
【図４】ケース体を外したポンプ装置をモータの出力側から見た分解斜視図である。
【図５】ケース体を外したポンプ装置をモータの反出力側から見た分解斜視図である。
【図６】インペラを駆動するモータを出力側から見た分解斜視図である。
【図７】カバー部材を取り除いたモータの分解斜視図である。
【図８】ロータの分解斜視図である。
【図９】ステータの斜視図である。
【図１０】カバー部材の斜視図である。
【図１１】インペラの側面図、平面図、および底面図である。
【図１２】ポンプ室周辺の部分拡大断面図である。
【図１３】吸引力発生機構の説明図である。
【発明を実施するための形態】
【００２０】
以下、図面を参照しながら、本発明の実施の形態のポンプ装置を説明する。
【００２１】
（ポンプ装置）
図１は本発明の実施の形態にかかるポンプ装置の外観斜視図である。図２は図１のポンプ装置のＡ−Ａ線断面図である。図３はポンプ装置をモータの出力側から見た場合の分解斜視図である。図１、図２および図３に示すように、ポンプ装置１は、出力軸２を備えるモータ３と、出力軸２が突出するモータ３の出力側の端壁部４に被せられたケース体５と、モータ３の端壁部４とケース体５とによって区画されたポンプ室６と、モータ３の出力軸２に取り付けられてポンプ室６内に配置されたインペラ７とを備える。ケース体５にはポンプ室６に連通する流体吸入口８および流体吐出口９が設けられている。流体吸入口８は出力軸２の軸線Ｌと同軸に形成されている。流体吐出口９は軸線Ｌと直交する径方向に開口する。
【００２２】
モータ３を駆動してインペラ７を回転させると、流体吸入口８から吸入された水などの流体はポンプ室６を流通して流体吐出口９から吐出される。以下の説明では、ポンプ装置を構成するモータの出力軸の軸線Ｌ方向をＺ軸方向とする。＋Ｚ方向はモータの出力側であり本明細書では便宜上、上側、上方とする。−Ｚ方向はモータの反出力側であり、本明細書では、便宜上、下側、下方とする。
【００２３】
（モータ）
図４はケース体を外したポンプ装置をモータの出力側から見た場合の分解斜視図である。図５はケース体を外したポンプ装置をモータの反出力側から見た場合の分解斜視図である。図６はカバー部材１４を取り除いた状態のモータ３の斜視図である。図７はカバー部材１４を取り除いた状態のモータ３の分解斜視図である。図８はロータの分解斜視図である。
【００２４】
モータ３はＤＣブラシレスモータである。図６に示すように、モータ３は、ロータ１０と、ステータ１１と、これらを収納するハウジング１２とを備える。図４および図５に示すように、ハウジング１２はステータ１１を−Ｚ方向の側から被う樹脂封止部材１３と、樹脂封止部材１３を上側から被うカバー部材１４とを備える。カバー部材１４は出力軸２が突出するモータ３の出力側の端壁部４を構成するものである。図２に示すように、樹脂封止部材１３には、出力軸２の下側の端部分を回転可能に支持する第１軸受部材１５が保持されている。カバー部材１４には、ロータ１０の出力軸２の中程を回転可能に支持する第２軸受部材１６が保持されている。カバー部材１４には上側からケース体５が被せられる。
【００２５】
（ロータ）
図７に示すように、ロータ１０は、出力軸２と、出力軸２を囲む磁石２０と、出力軸２および磁石２０を保持する保持部材２１とを備える。
【００２６】
出力軸２は金属製であり、本例では、ステンレス鋼製である。図８に示すように、出力軸２はＺ軸方向の中心よりも僅かに下側に環状溝２３を備える。環状溝２３にはＥリング２４（第１金属部材）が取り付けられている。Ｅリング２４は金属製の板状の部材である。Ｅリング２４は出力軸２の環状溝２３に固定されて、出力軸２から外周側に突出する。また、出力軸２は、環状溝２３の下側に所定長さの第１ローレット形成部２５を備える。さらに、出力軸２は、上端部分から下側に向かう所定長さの第２ローレット形成部２６を備える。第２ローレット形成部２６は、モータ３のハウジング１２から上側に突出してポンプ室６内に達する部分であり、インペラ７が取り付けられる取り付け部である。出力軸２における第１ローレット形成部２５の下側には、第１軸受部材１５により支持される第１被支持部２７が設けられている。出力軸２における環状溝２３と第２ローレット形成部２６との間には第２軸受部材１６により支持される第２被支持部２８が設けられている。
【００２７】
磁石２０は、環状であり、出力軸２と同軸に配置されている。磁石２０は、第１ローレット形成部２５の外周側に配置される。磁石２０の外周面には、Ｎ極とＳ極とが周方向において交互に着磁されている。
【００２８】
図８に示すように、磁石２０の上面の内周側の端部分には、内周側に向かって下側に傾斜するテーパー面３１と、テーパー面３１の下端から内周側に延びる環状面３３とが連続して設けられている。さらに、磁石２０の下面の内周側の端部分にも、上面と同様に、内周側に向かって上側に傾斜するテーパー面３１と、テーパー面３１の上端縁から内周側に延びる環状面３３とが連続して設けられている。上下のテーパー面３１には、周方向に等角度間隔で複数の凹部３２が形成されている。複数の凹部３２の内周面は球面形状を備える。磁石２０の上面において、テーパー面３１よりも外周側は、軸線Ｌと直交する環状面３４となっている。磁石２０の下面において、テーパー面３１よりも外周側は、軸線Ｌと直交する環状面３４となっている。
【００２９】
保持部材２１は、樹脂成形品であり、出力軸２の第１ローレット形成部２５を含む部分を外周側から保持する。保持部材２１は、筒状の出力軸保持部３８と、出力軸保持部３８の外周側で磁石２０を保持する環状の磁石保持部３９と、出力軸保持部３８から径方向を放射状に延びて出力軸保持部３８と磁石保持部３９との間を接続する複数の接続部４０とを備える。
【００３０】
磁石保持部３９は、磁石２０の内周面３７を内周側から被う磁石保持筒部分４１と、磁石保持筒部分４１の下端部分から外側に広がる円環状の第１磁石保持鍔部分４２と、磁石保持筒部分４１の上端部分から外側に広がる円環状の第２磁石保持鍔部分４３と、を備える。図７に示すように、第１磁石保持鍔部分４２は、磁石２０の下面の外周縁部分を除く下面部分を被う。第２磁石保持鍔部分４３は、磁石２０の上面の外周縁部分を除く上面部分を被う。また、図８に示すように、第１磁石保持鍔部分４２および第２磁石保持鍔部分４３は、テーパー面３１を被うテーパー面被い部３９ａと、テーパー面被い部３９ａの外周側に位置して環状面３４に重なる環状板部３９ｂを備える。テーパー面被い部３９ａは、環状板部３９ｂと比較して、Ｚ軸方向の厚みがある。なお、第１磁石保持鍔部分４２および第２磁石保持鍔部分４３は、磁石２０の上面および下面に沿った形状をしており、凹部３２の内周面の内周面に密着している。
【００３１】
ここで、出力軸２に固定されたＥリング２４は、出力軸２から外周側に突出する部分が出力軸保持部３８の上面に埋め込まれた状態で、当該保持部材２１に保持される。Ｅリング２４において、出力軸２から外周側に突出している部分の上面は、出力軸保持部３８から上側に露出している。Ｅリング２４の上面と出力軸保持部３８の上面および接続部４０の上面とは、軸線Ｌと直交する同一平面上に位置する。
【００３２】
次に、ロータ１０は、保持部材２１の下端側に保持された第１軸受板４５と、保持部材２１の上端側に保持された第２軸受板４６（第２金属部材）を備える。第１軸受板４５および第２軸受板４６は、円環状の金属板である。第１軸受板４５および第２軸受板４６は、外周縁に複数の切欠部４７を備える。これにより、第１軸受板４５および第２軸受板４６は、外周縁に凹凸を備えるものとなっている。
【００３３】
切欠部４７は等角度間隔で６か所に形成されている。第１軸受板４５および第２軸受板４６に形成された各切欠部４７は、Ｚ軸方向で各接続部４０と対向する。第１軸受板４５は、その中心孔４８に出力軸２を貫通させた状態で保持部材２１に固定されて当該保持部材２１の下端側から接続部４０および出力軸保持部３８を被う。図２に示すように、第１軸受板４５が保持部材２１に固定された状態では、第１軸受板４５の下面は軸線Ｌと直交する。第２軸受板４６は、その中心孔４８に出力軸２を貫通させた状態で保持部材２１に固定されて当該保持部材２１の上側から接続部４０、出力軸保持部３８およびＥリング２４を被う。第２軸受板４６が保持部材２１に固定された状態では、第２軸受板４６とＥリング２４とは面接触する。第２軸受板４６の上面は軸線Ｌと直交する。第２軸受板４６の上面は第２軸受部材１６に下側から摺接するロータ側摺動面４６ａである。
【００３４】
ここで、保持部材２１の形成は、Ｅリング２４が取り付けられた出力軸２および磁石２０を金型内に配置して樹脂を注入するインサート成形により行われる。第１軸受板４５および第１軸受板４５は、インサート成形の後に、保持部材２１に保持される。
【００３５】
保持部材２１に第１軸受板４５を保持させる際には、第１軸受板４５の中心孔４８に出力軸２を貫通させて、保持部材２１の下端側の接続部４０および下端側の出力軸保持部３８に第１軸受板４５を重ねる。その後に、保持部材２１における第１軸受板４５の外周側に位置する部分を熱により塑性変形させて、第１軸受板４５の下面の外周側部分を被わせ、かつ、各切欠部４７に樹脂を入り込ませる。これにより、保持部材２１の下面には、第１軸受板４５の外周縁を下側および外周側から被う環状の塑性変形部４９が設けられる。第１軸受板４５は、保持部材２１の下端側の接続部４０および下端側の出力軸保持部３８と、塑性変形部４９とにより保持される。
【００３６】
同様に、保持部材２１に第２軸受板４６を保持させる際には、第２軸受板４６の中心孔４８に出力軸２を貫通させて、保持部材２１の上端側の接続部４０および上端側の出力軸保持部３８に第２軸受板４６を重ねるとともに、第２軸受板４６の下面をＥリング２４の上面に面接触させた状態とする。その後、保持部材２１における第２軸受板４６の外周側に位置する部分を熱により塑性変形させて、第２軸受板４６の上面の外周側部分を被わせ、かつ、各切欠部４７に樹脂を入り込ませる。これにより、図７に示すように、保持部材２１の上面には、第２軸受板４６の外周縁を上側および外周側から被う環状の塑性変形部４９が形成される。第２軸受板４６は、保持部材２１の上端側の接続部４０、上端側の出力軸保持部３８、および、Ｅリング２４の上面と、塑性変形部４９とにより保持される。
【００３７】
（ステータ）
図９はステータ１１の斜視図である。ステータ１１は、ロータ１０の外周側に位置する環状のステータコア５１と、ステータコア５１にインシュレータ５２を介して巻回された複数のコイル５３と、各コイル５３への給電を行う給電線を接続するためのコネクタ５４とを備える。
【００３８】
ステータコア５１は、磁性材料からなる薄い磁性板が積層されて形成された積層コアである。図９に示すように、ステータコア５１は、環状部５６と、環状部５６から径方向の内側に突出する複数の突極部５７とを備える。複数の突極部５７は等角度ピッチで形成さ
れており、周方向において一定のピッチで配置されている。本例では、複数の突極部５７は、軸線Ｌを中心とする４０°の角度ピッチで形成されている。これにより、ステータコア５１は９個の突極部５７を備える。突極部５７の内周側端面５７ａは、軸線Ｌを中心とする円弧面であり、ロータ１０の磁石２０の外周面と僅かなギャップを開けて対向する。
【００３９】
各インシュレータ５２は樹脂等の絶縁性材料で形成されている。各インシュレータ５２は、径方向の両端に鍔部を有する鍔付きの筒状に形成されており、筒状に形成されるインシュレータ５２の軸方向とステータ１１の径方向とが一致するように突極部５７に取り付けられている。コイル５３のそれぞれは、インシュレータ５２を介して複数の突極部５７のそれぞれに巻回される。図２に示すように、インシュレータ５２に巻回された状態の各コイル５３は、径方向の外側に向かってＺ軸方向に突出している。なお、インシュレータ５２は、ステータコア５１の環状部５６の上面を部分的に被っているが、環状部５６の上面の外周縁部分５６ａはインシュレータ５２により覆われていない。同様に、インシュレータ５２は、ステータコア５１の環状部５６の下面を部分的に被っているが、環状部５６の下面の外周縁部分５６ｂはインシュレータ５２により覆われていない。
【００４０】
各突極部５７の先端部分は、インシュレータ５２から内周側に突出している。各突極部５７においてインシュレータ５２から内周側に露出している部分（内周側端面５７ａとコイル５３が巻回されている部分との間の部分）は、軸線Ｌと直交する軸方向端面５７ｂを備える。複数のインシュレータ５２のうちの一つのインシュレータ５２には、コイル５３への給電を行うための配線が着脱可能に接続されるコネクタ５４が一体に形成されている。
【００４１】
（樹脂封止部材）
図５および図７に示すように、樹脂封止部材１３は、コイル５３、インシュレータ５２、および、ステータコア５１を下側から被う円盤形状の封止部材底部６５を備える。また、樹脂封止部材１３は、封止部材底部６５から外周側に延びてコネクタ５４を被う封止部材張出部６６と、封止部材底部６５から上側に延びてコイル５３、インシュレータ５２およびステータコア５１を被う封止部材筒部６７とを備える。
【００４２】
図７に示すように、封止部材底部６５の上面の中心部分には、軸受部材保持凹部６８が設けられている。軸受部材保持凹部６８には、磁石２０よりも下側でロータ１０を回転可能に支持する第１軸受部材１５が保持される。軸受部材保持凹部６８は、円形の凹部であり、凹部の内周面の周方向の一部分にＺ軸方向に延びる溝６８ａを備える。
【００４３】
第１軸受部材１５は、樹脂製であり、出力軸２を貫通させる貫通穴を備える筒状の支持部７０と、支持部７０の上側の端から外周側に広がる鍔部７１とを備える。支持部７０の外周面の周方向の一部分には、Ｚ軸方向に一定幅で延びる凸部７０ａが形成されている。鍔部７１の輪郭は、Ｚ軸方向から見た場合に円弧形状の円弧輪郭部分７１ａと、円弧輪郭部分７１ａの周方向の一方の端と他方の端とを直線状に接続する直線輪郭部分７１ｂとを備えるＤ字形状である。直線輪郭部分７１ｂは貫通穴を挟んで凸部７０ａと反対側に位置する。
【００４４】
第１軸受部材１５は、支持部７０の凸部７０ａと軸受部材保持凹部６８の溝６８ａとの位置を一致させた状態で、支持部７０が軸受部材保持凹部６８に挿入される。そして、図２に示すように、第１軸受部材１５は、鍔部７１が上側から封止部材底部６５に当接した状態となるまで挿入されて、軸受部材保持凹部６８に固定される。第１軸受部材１５が軸受部材保持凹部６８に固定された状態で、鍔部７１の上側の端面は軸線Ｌと直交する。ここで、支持部７０は出力軸２のラジアル軸受として機能し、鍔部７１はロータ１０のスラスト軸受として機能する。すなわち、鍔部７１の上側の端面は、ロータ１０が摺接する摺
動面７２である。第１軸受部材１５の摺動面７２には、ロータ１０の保持部材２１に固定された第１軸受板４５の下面が摺接する。すなわち、第１軸受板４５の下面は、第１軸受部材１５の摺動面７２に摺接するロータ側摺動面４５ａである。なお、摺動面７２にはグリスが塗布される。
【００４５】
次に、封止部材筒部６７は、図７に示すように、下側から上側に向かって大径筒部分８１と大径筒部分８１よりも外径寸法の小さい小径筒部分８２を備える。大径筒部分８１の外径はステータコア５１の環状部５６の外径よりも大きく、小径筒部分８２の外径はステータコア５１の環状部５６の外径よりも小さい。
【００４６】
封止部材筒部６７における大径筒部分８１と小径筒部分８２との境界部分には、ステータコア５１の環状部５６の外周縁部分５６ａを樹脂封止部材１３から上側に露出させる開口部８３が設けられている。また、樹脂封止部材１３における開口部８３の外周側には、軸線Ｌと直交する環状端面８４が設けられている。開口部８３から露出するステータコア５１の外周縁部分と環状端面８４とは軸線Ｌと直交する同一平面上に位置する。大径筒部分８１の上端部分には、等角度間隔で外周側に突出する４つの係止突起８５が設けられている。
【００４７】
封止部材筒部６７の内周面は、下側から上側に向かって小径内周面部分６７ａと、小径内周面部分６７ａよりも内径寸法の大きい大径内周面部分６７ｂと、を備える。小径内周面部分６７ａの曲率半径は、突極部５７の内周側端面５７ａの曲率半径とほぼ等しい。小径内周面部分６７ａには、ステータコア５１の各突極部５７の内周側端面５７ａを内周側に露出させる複数の開口部８６が設けられている。また、小径内周面部分６７ａには、各突極部５７の軸方向端面５７ｂの一部分を上側に露出させる切欠部８７が設けられている。すなわち、小径内周面部分６７ａには軸線Ｌを中心とする４０°の角度ピッチで９個の切欠部８７が形成されている。切欠部８７は、開口部８６の縁から小径内周面部分６７ａの上端縁までＺ軸方向に延びる溝である。切欠部８７の断面形状は円弧形状である。複数の切欠部８７が設けられることにより、各突極部５７の軸方向端面５７ｂの先端部分における周方向の中央部分が、上側に露出する露出部分５７ｃとなっている。
【００４８】
開口部８６から露出する各突極部５７の内周側端面５７ａは、小径内周面部分６７ａと段差なく連続する。開口部８６から露出する各突極部５７の内周側端面５７ａには防錆剤８８が塗布されている。また、切欠部８７から露出する各突極部５７の軸方向端面５７ｂの露出部分５７ｃにも防錆剤８８が塗布されている。本例では、防錆剤８８としてエポキシ塗料を用いている。なお、防錆剤８８としては、エポキシ塗料を除く他の塗料や、防錆油や、接着剤を用いることができる。
【００４９】
樹脂封止部材１３は、ＢＭＣ（Ｂｕｌｋ  Ｍｏｌｄｉｎｇ  Ｃｏｍｐｏｕｎｄ）によって形成されている。本形態では、ステータ１１を金型内に配置し、この金型内に樹脂を注入して硬化させることで樹脂封止部材１３が形成される。すなわち、樹脂封止部材１３はインサート成形によりステータ１１と一体成形される。
【００５０】
ここで、本形態では、ステータコア５１の各突極部５７の内周側端面５７ａを樹脂封止部材１３から露出させている。従って、インサート成形では、金型に円柱形状の金型部分を設けておき、その金型部分の外周面を各突極部５７の内周側端面５７ａに当接させて、径方向でステータコア５１を位置決めすることができる。また、樹脂封止部材１３は、ステータコア５１の各突極部５７の軸方向端面５７ｂの一部分（露出部分５７ｃ）を上側に露出させている。さらに、樹脂封止部材１３は、ステータコア５１の環状部５６の外周縁部分５６ａを上側に露出させている。従って、インサート成形では、金型に、各突極部５７の軸方向端面５７ｂに上側から当接可能な第１当接部分と、環状部５６の外周縁部分に
上側から当接可能な第２当接部分を設けておき、これら第１当接部分および第２当接部分をステータコア５１に当接させてＺ軸方向でステータコア５１を位置決めすることができる。すなわち、本形態では、金型内に配置したステータコア５１を径方向およびＺ軸方向で位置決めした状態で、金型内に樹脂を注入して樹脂封止部材１３を成形できる。これにより、ステータコア５１と樹脂封止部材１３の相対位置の精度が向上する。
【００５１】
なお、封止部材筒部６７の内周面に設けられた切欠部８７は、金型に設けた第１当接部分の痕跡である。すなわち、インサート成形において、金型に設けた第１当接部をＺ軸方向から軸線Ｌ各突極部５７の軸方向端面５７ｂに当接させているので、ＢＭＣが固化して樹脂封止部材１３が形成されると、結果的に、第１当接部が当接していた部分が露出部分５７ｃとなり、第１当接部が位置していた部分に切欠部８７が設けられる。
【００５２】
（カバー部材）
図１０（ａ）はカバー部材１４を上側から見た場合の斜視図であり、図１０（ｂ）はカバー部材１４を下側から見た場合の斜視図である。カバー部材１４は、樹脂製であり、樹脂封止部材１３の上側に固定される。
【００５３】
図６および図１０に示すように、カバー部材１４は、円形板状のカバー部材天井部９１と、カバー部材天井部９１から−Ｚ方向に延びるカバー部材筒部９２とを備える。カバー部材天井部９１は、中心にＺ軸方向に貫通する貫通穴９３を備える。図２、図６に示すように、カバー部材天井部９１の上面の中央部分には、貫通穴９３を囲む円形凹部９４が設けられている。円形凹部９４には円環状のシール部材９５が配置される。シール部材９５には出力軸２が貫通する。
【００５４】
図６に示すように、カバー部材１４における円形凹部９４の開口縁には内側環状突部１０１が設けられている。カバー部材１４における内側環状突部１０１の外周側には外側環状突部１０２が設けられている。内側環状突部１０１と外側環状突部１０２との間には、軸線Ｌと直交する平坦な内側環状面１０３（対向面）が設けられている。内側環状面１０３からの外側環状突部１０２の突出寸法は、内側環状面１０３からの内側環状突部１０１の突出寸法よりも大きい。外側環状突部１０２の外周面には第１段部１０７および第２段部１０８が設けられている。図２に示すように、上側に位置する第１段部１０７にはＯリング１０９が取り付けられている。
【００５５】
図６に示すように、カバー部材１４における外側環状突部１０２の外周側には外側環状面１０４が設けられている。外側環状面１０４の外周側には環状突部１０５が設けられている。環状突部１０５の先端部分には、周方向の４か所に内周側に突出する係止爪１０６が設けられている。カバー部材１４において外側環状突部１０２の外周側は、モータ３（カバー部材１４）にケース体５を取り付けるためのケース体取付部である。
【００５６】
図１０に示すように、カバー部材天井部９１の下面には、その中央部分に貫通穴９３と同軸の軸受部材保持筒部９７が設けられている。また、カバー部材天井部９１の下面には、その円形の外周縁に沿って外側環状リブ９８が設けられている。さらに、カバー部材天井部９１の下面には、軸受部材保持筒部９７と外側環状リブ９８との間に円形の内側環状リブ９９が設けられている。軸受部材保持筒部９７と内側環状リブ９９との間には、軸受部材保持筒部９７から放射状に延びて内側環状リブ９９に達する内側リブ１００ａが設けられている。内側環状リブ９９と外側環状リブ９８との間には、内側環状リブ９９から放射状に延びて外側環状リブ９８に達する外側リブ１００ｂが設けられている。軸受部材保持筒部９７、外側環状リブ９８および内側環状リブ９９は同軸である。軸受部材保持筒部９７の下端面、外側環状リブ９８の下端面、および、内側環状リブ９９の下端面は軸線Ｌと直交する平面である。カバー部材天井部９１の下面からの軸受部材保持筒部９７の突出
量は、カバー部材天井部９１の下面からの内側環状リブ９９の突出量よりも大きい。カバー部材天井部９１の下面からの内側環状リブ９９の突出量は、カバー部材天井部９１の下面からの外側環状リブ９８の突出量よりも大きい。外側リブ１００ｂの下面と外側環状リブ９８の下面とは同一平面上にある。
【００５７】
図１０に示すように、軸受部材保持筒部９７は、貫通穴９３の内周壁の周方向の一部分にＺ軸方向に延びる溝９７ａを備える。図２に示すように、軸受部材保持筒部９７の中心孔には、第２軸受部材１６が保持される。
【００５８】
ここで、第２軸受部材１６は、図７に示すように、第１軸受部材１５と同一の部材を上下逆に配置したものである。第２軸受部材１６は、樹脂製であり、出力軸２を貫通させる貫通穴を備える筒状の支持部７０と、支持部７０の下側の端から外周側に広がる鍔部７１とを備える。支持部７０の外周面の周方向の一部分には、Ｚ軸方向に一定幅で延びる凸部７０ａが形成されている。鍔部７１の輪郭は、Ｚ軸方向から見た場合に円弧形状の円弧輪郭部分７１ａと、円弧輪郭部分７１ａの周方向の一方の端と他方の端とを直線状に接続する直線輪郭部分７１ｂとを備えるＤ字形状である。直線輪郭部分７１ｂは、貫通穴を挟んで凸部７０ａと反対側に位置する。
【００５９】
第２軸受部材１６は、支持部７０の凸部７０ａと軸受部材保持筒部９７の溝９７ａの位置を一致させた状態で、支持部７０が軸受部材保持筒部９７に挿入される。そして、図２に示すように、第２軸受部材１６は、鍔部７１が下側からカバー部材１４（カバー部材天井部９１の軸受部材保持筒部９７の下面）に当接した状態となるまで挿入されて軸受部材保持筒部９７に固定される。第２軸受部材１６が軸受部材保持筒部９７に固定された状態で、鍔部７１の上側の端面は軸線Ｌと直交する。ここで、支持部７０は出力軸２のラジアル軸受として機能し、鍔部７１はロータ１０のスラスト軸受として機能する。すなわち、鍔部７１の下側の端面は、ロータ１０が摺接する摺動面７２となる。第２軸受部材１６の摺動面７２には、ロータ１０の保持部材２１に固定された第２軸受板４６の上面が摺接する。すなわち、第２軸受板４６の上面は第２軸受部材１６の摺動面７２に摺接するロータ側摺動面４６ａである。摺動面７２にはグリスが塗布される。
【００６０】
図１０に示すように、カバー部材筒部９２は、外側環状リブ９８の外周側から−Ｚ方向に延びる。カバー部材筒部９２は、樹脂封止部材１３の小径筒部分８２にオーバーラップして外周側から被う上側の環状筒部分１１１と、上側の環状筒部分１１１の下側で大径筒部分８１の外周側に位置する下側の環状筒部分１１２とを備える。また、図２に示すように、カバー部材筒部９２の内周面において、上側の環状筒部分１１１と下側の環状筒部分１１２との間には環状段部１１３が設けられている。環状段部１１３は、下側を向く環状面１１３ａを備える。環状面１１３ａは、軸線Ｌと直交する平面である。下側の環状筒部分１１２には、周方向の４か所に樹脂封止部材１３の係止突起８５と係合する被係止部１１４が設けられている。
【００６１】
ここで、カバー部材１４は、樹脂封止部材１３の内側にロータ１０が配置され、第１軸受部材１５にロータ１０が支持された状態で、樹脂封止部材１３に上側から被せられる。カバー部材１４が樹脂封止部材１３に被せられる際には、樹脂封止部材１３の上面の外周縁部分に接着剤が塗布される。
【００６２】
カバー部材１４を樹脂封止部材１３に被せる際には、図２に示すように、内側環状リブ９９の下端部分を樹脂封止部材１３の封止部材筒部６７の内周側に嵌め込む。これにより、カバー部材１４と樹脂封止部材１３が径方向で位置決めされ、出力軸２の軸線Ｌと、ステータ１１の中心軸線とが一致する。また、カバー部材筒部９２の環状段部１１３の環状面１１３ａを樹脂封止部材１３の大径筒部分８１と小径筒部分８２との間の環状端面８４
に当接させる。これにより、カバー部材１４を樹脂封止部材１３とはＺ軸方向で位置決する。その後、カバー部材１４と樹脂封止部材１３とを周方向に相対回転させて、樹脂封止部材１３の係止突起８５とカバー部材１４の被係止部１１４とを係合させる。これにより、カバー部材天井部９１は出力軸２をＺ軸方向に貫通させた状態でロータ１０と樹脂封止部材１３を上側から被う。また、カバー部材天井部９１の円形凹部９４に配置されたシール部材９５が出力軸２とカバー部材１４および第２軸受部材１６との間をシールする。さらに、カバー部材筒部９２の上側の環状筒部分１１１が樹脂封止部材１３の小径筒部分８２を外周側から包囲した状態となる。
【００６３】
（インペラ）
図１１（ａ）はインペラの側面図であり、図１１（ｂ）はインペラを＋Ｚ方向から見た場合の平面図であり、図１１（ｃ）はインペラを−Ｚ方向から見た場合の底面図である。インペラ７は、図４および図１１に示すように、モータ３の出力軸２が挿入される中心穴を備える筒部１２１と、筒部１２１の下側部分から軸線Ｌと直交する方向に広がるシュラウド１２２を備える。シュラウド１２２は筒部１２１におけるＺ軸方向の途中位置（筒部１２１のＺ軸方向の中心よりも下側に寄った位置）から外周側に広がる。筒部１２１の中心穴は、その上端部分が封鎖されている。本例では、シュラウド１２２は円形の輪郭を備える。
【００６４】
また、インペラ７は、シュラウド１２２の上側（モータ３の端壁部４とは反対側）の端面に４枚の表羽根１２３を備える。４枚の表羽根１２３は、シュラウド１２２から上側に突出するとともに、それぞれ軸線Ｌと直交する径方向に延びる。各表羽根１２３は、周方向から見た場合の形状が略長方形である。各表羽根１２３の内周側の端は筒部１２１に連続している。各表羽根１２３の外周側の端はシュラウド１２２の外周縁に達している。４枚の表羽根１２３は軸線Ｌ回りの等角度間隔に設けられている。すなわち、４枚の表羽根１２３は９０°の角度間隔で放射状に設けられている。各表羽根１２３は、径方向においてシュラウド１２２からの突出量が一定である。従って、表羽根１２３の上端はシュラウド１２２と平行に延びる。
【００６５】
さらに、インペラ７は、図５および図１１に示すように、シュラウド１２２の下側（モータ３の端壁部４の側）に、筒部１２１を同軸に囲む環状リブ１２４と、８枚の裏羽根１２５とを備える。８枚の裏羽根１２５は、シュラウド１２２から下側に突出するとともに、それぞれ軸線Ｌと直交する径方向に延びる。各裏羽根１２５は、周方向から見た場合の形状が略長方形である。各裏羽根１２５の内周側の端は環状リブ１２４に連続している。各裏羽根１２５の外周側の端はシュラウド１２２の外周縁に達している。８枚の裏羽根１２５は軸線Ｌ回りの等角度間隔に設けられている。すなわち、８枚の裏羽根１２５は４５°の角度間隔で放射状に設けられている。また、８枚の裏羽根１２５のうち一枚おきの４枚は表羽根１２３と同一の角度位置に設けられている。従って、Ｚ軸方向から見た場合に４枚の裏羽根１２５は表羽根１２３と重なる。各裏羽根１２５は、径方向においてシュラウド１２２からの突出量が一定である。従って、表羽根１２３の下端はシュラウド１２２と平行に延びる。図１１（ａ）に示すように、シュラウド１２２からの裏羽根１２５の突出量Ａ（裏羽根１２５の高さ）は、シュラウド１２２からの表羽根１２３の突出量Ｂ（表羽根１２３の高さ）の１／３以下である。
【００６６】
ここで、シュラウド１２２からの裏羽根１２５の突出量Ａは、シュラウド１２２からの環状リブ１２４の突出量よりも小さい。シュラウド１２２からの筒部１２１の突出量（筒部１２１においてシュラウド１２２の−Ｚ方向に位置する部分の突出量）は、環状リブ１２４の突出量よりも小さく、裏羽根１２５の突出量Ａよりも大きい。また、図１１（ｃ）に示すように、裏羽根１２５における環状リブ１２４の外周面から外周側の端までの長さ寸法Ｃ（裏羽根１２５の長さ寸法）は、筒部１２１と環状リブ１２４との間隔Ｄ以上であ
る。
【００６７】
（ケース体およびポンプ室）
次に、ケース体５は、図３に示すように、下側から上側に向かって、大径環状固定部１３１と、大径環状固定部１３１よりも外径寸法の小さい小径環状固定部１３２と、大径環状固定部１３１および小径環状固定部１３２と同軸で小径環状固定部１３２よりも外径寸法の小さい筒状胴部１３３と、筒状胴部１３３の上端から内周側に延びる環状の環状板部１３４と、環状板部１３４の中心から筒状胴部１３３と同軸に延びる吸入管１３５とを備える。また、ケース体５は、筒状胴部１３３の周方向の一部分から径方向を外側に延びる吐出管１３６を備える。吐出管１３６は筒状胴部１３３の内側に連通する。吸入管１３５の上端開口は流体吸入口８であり、吐出管１３６の先端開口は流体吐出口９である。大径環状固定部１３１には、周方向の４か所に外周側に突出する凸部１３７が設けられている。
【００６８】
ケース体５は、出力軸２の先端部分にインペラ７が取り付けられた後に、モータ３のカバー部材１４に固定される。ケース体５がカバー部材１４に固定される際には、図２および図３に示すように、Ｏリング１０９を装着した状態のカバー部材１４の外側環状突部１０２を、大径環状固定部１３１および小径環状固定部１３２の内周側に挿入する。そして、カバー部材１４の外側環状面１０４と、大径環状固定部１３１の下端面とを当接した状態とする。その後、ケース体５を周方向に回転させて、その凸部１３７をカバー部材１４の係止爪１０６に係止させる。これにより、ケース体５は、カバー部材１４との間において径方向にＯリング１０９を介在させた状態で、カバー部材１４に固定される。
【００６９】
ケース体５がカバー部材１４に固定されると、図２に示すように、カバー部材１４とケース体５との間にはポンプ室６が区画される。従って、インペラ７はポンプ室６内に配置された状態となる。
【００７０】
ここで、ケース体５がカバー部材１４に固定された状態では、カバー部材１４の外側環状突部１０２の内周面とケース体５の筒状胴部１３３の内周面とが連続して、ポンプ室６の周壁面６ａを構成する。環状板部１３４の内側の面はポンプ室６の天井面６ｂ（ケース体側対向面）を構成する。天井面６ｂは軸線Ｌと直交しており、カバー部材１４の内側環状面１０３と平行である。カバー部材１４における外側環状突部１０２の内周側の領域はポンプ室６の底面６ｃを構成する。ポンプ室６の流体吸入口８はモータ３の出力軸２の軸線Ｌと同軸に位置する。流体吐出口９は出力軸２の軸線Ｌと直交する径方向の外側に設けられている。モータ３の駆動によりインペラ７が回転すると、流体は流体吸入口８から吸入されて流体吐出口９から吐出する。ここで、カバー部材１４の内側環状面１０３は、Ｚ軸方向から見た場合に裏羽根１２５の回転軌跡と重なる環状の対向面である。内側環状面１０３は軸線Ｌと直交する平面であり、裏羽根１２５と平行である。
【００７１】
（吸引力発生機構）
図１２はポンプ室６周辺の部分拡大断面図である。図１３は吸引力発生機構の説明図である。図１３に示すように、モータ３が動作してインペラ７が回転すると、流体Ｗは、流体吸入口８からインペラ７の表羽根１２３に向かって流入し、ポンプ室６内を流通して、流体吐出口９から吐き出される。
【００７２】
ポンプ室６を流通する流体Ｗは、その一部Ｗ１が、表羽根１２３によってインペラ７の外周側に掻き出された後に、インペラ７とケース体５との間を介して流体吐出口９に向かう。また、ポンプ室６を流通する流体Ｗの他の一部Ｗ２は、表羽根１２３によってインペラ７の外周側に掻き出された後に、インペラ７とモータ３の端壁部４（カバー部材１４）との間を介して、流体吐出口９に向かう。
【００７３】
ここで、インペラ７とモータ３の端壁部４との間に流体Ｗ２が入り込むと、これらの間の圧力が上昇する。従って、インペラ７には当該インペラ７をケース体５の側に移動させる力Ｆ１が働く。よって、インペラ７はケース体５の側に付勢される。インペラ７がケース体５の側に付勢されると、インペラ７が接続された出力軸２がケース体５の側に付勢されるので、ロータ１０（保持部材２１）は第２軸受部材１６に押し付けられた状態となる。これにより、出力軸２とロータ１０との間には摺動により大きな熱が発生するので、ロータ１０を構成する保持部材２１が樹脂製である場合、或いは、ポンプ室６を区画しているカバー部材１４が樹脂製である場合には、これら樹脂製の部材が発生した熱により変形してしまう可能性がある。
【００７４】
このような問題に対して、本例では、インペラ７は、シュラウド１２２からモータ３の端壁部４（カバー部材１４）の側に突出する裏羽根１２５を有する。本例では、インペラ７が裏羽根１２５を備えることにより、インペラ７をケース体５の側に移動させる力Ｆ１を抑制するとともに、インペラ７をモータ３の端壁部４の側に吸引できる。
【００７５】
すなわち、裏羽根１２５は、ポンプ室６を流体Ｗが流通する際に、インペラ７とモータ３の端壁部４との間からインペラ７の外周側に流体Ｗ３を掻き出す。ここで、図１３に示すように、裏羽根１２５によってインペラ７と端壁部４との間から外周側に掻き出される流体Ｗ３は、表羽根１２３によってインペラ７の外周側に掻き出された後にインペラ７とモータ３の端壁部４との間に流入しようとする流体Ｗ２と、衝突する。これにより、流体Ｗ２がインペラ７と端壁部４との間へ流入することが抑制されるので、インペラ７と端壁部４との間の圧力の上昇が抑制される。よって、インペラ７をケース体５の側に移動させる力Ｆ１は小さくなる。
【００７６】
また、裏羽根１２５によってインペラ７とモータ３の端壁部４との間から流体Ｗ３が外周側に掻き出されると、インペラ７とモータ３の端壁部４との間には負圧Ｆ２が発生する。従って、この負圧Ｆ２により、インペラ７がモータの端壁部４の側に吸引される。すなわち、インペラ７の裏羽根１２５は、モータ３によりインペラ７が駆動されて流体吸入口８から前記流体吐出口９に向かってポンプ室６を流体Ｗが流通すると、当該インペラ７を端壁部４の側に吸引する吸引力（負圧Ｆ２）を発生させる吸引力発生機構１４０として機能する。
【００７７】
ここで、図１２に示すように、裏羽根１２５の突出量Ａは、シュラウド１２２とカバー部材１４の内側環状面１０３との間の離間距離の５０％以上である。これにより、裏羽根１２５とモータ３の端壁部４（内側環状面１０３）との間の第１距離Ｆを狭くすることができるので、裏羽根１２５によってインペラ７とモータ３の端壁部４との間から流体Ｗ３を掻き出すことが容易となる。従って、インペラ７をケース体５の側に移動させる力Ｆ１を抑制しやすく、かつ、負圧Ｆ２を発生させやすい。なお、裏羽根１２５の突出量Ａをより大きくすれば、より大きな吸引力（負圧Ｆ２）を発生させることができる。
【００７８】
また、裏羽根１２５とカバー部材１４の内側環状面１０３との間の第１距離Ｆは、ケース体５においてＺ軸方向でカバー部材１４の内側環状面１０３と対向する天井面６ｂ（ケース体５の環状板部１３４の下面）と表羽根１２３との間の第２距離Ｇよりも短い。すなわち、Ｚ軸方向において、裏羽根１２５とモータ３の端壁部４との間の間隔が、表羽根１２３とケース体５との間の間隔よりも狭い。従って、裏羽根１２５とモータ３の端壁部４との間から流体Ｗ３を掻き出しやすく、負圧Ｆ２を発生させやすい。また、裏羽根１２５の数は表羽根１２３の数よりも多いので、インペラ７とモータ３の端壁部４との間から流体Ｗ３を掻き出しやすい。従って、インペラ７をケース体５の側に移動させる力Ｆ１を抑制しやすく、かつ、負圧Ｆ２を発生させやすい。
【００７９】
さらに、インペラ７は、シュラウド１２２から端壁部４の側に突出する筒部１２１と、環状リブ１２４を備える。従って、筒部１２１に挿入された出力軸２によりインペラ７を傾斜しないように保持できる。また、環状リブ１２４により、出力軸２の周囲に流体Ｗに含まれる塵などが達することを防止あるいは抑制できる。さらに、裏羽根１２５における前記環状リブ１２４の外周面から外周側の端までの長さ寸法が筒部１２１と環状リブ１２４との間隔以上なので、裏羽根１２５の径方向の長さ寸法を確保できる。従って、裏羽根１２５によりインペラ７とモータ３の端壁部４との間から流体Ｗ３を掻き出すことが容易である。
【００８０】
（作用効果）
本例のポンプ装置１は、インペラ７が裏羽根１２５を備えるので、モータ３によりインペラ７が駆動されて流体吸入口８から流体吐出口９に向かってポンプ室６を流体Ｗが流通したときに、インペラ７とモータ３の端壁部４との間から流体Ｗ３を掻き出すことができる。従って、ポンプ室６を流通する流体Ｗの一部Ｗ２がインペラ７とモータの端壁部４との間に流入して、インペラ７をケース体５の側に移動させる力Ｆ１が働く場合でも、その力Ｆ１を抑制できる。また、裏羽根１２５は、インペラ７を端壁部４の側に吸引する吸引力（負圧Ｆ２）を発生させる吸引力発生機構１４０として機能する。従って、流体Ｗがポンプ室６を流通したときに、インペラ７がケース体５の側に付勢されることを抑制できる。これにより、インペラ７が接続された出力軸２がケース体５の側に付勢されることを抑制できるので、モータ３において、出力軸２を備えるロータ１０が、ロータ１０に出力側から摺接する第２軸受部材１６に押し付けられることを抑制できる。よって、ロータ１０と第２軸受部材１６との摺動により発生する熱を抑制できる。
【００８１】
さらに、本例では、出力軸２を外周側から保持する樹脂製の保持部材２１が、出力軸２に固定されて出力軸２から外周側に突出するＥリング２４（第１金属部材）を保持している。従って、出力軸２に対する保持部材２１の位置がＺ軸方向（Ｚ軸方向）で変化することを防止あるいは抑制できる。これにより、保持部材２１に保持された磁石２０の位置がＺ軸方向で変化してしまうことを防止あるいは抑制できるので、ロータ１０の回転精度を維持できる。また、保持部材２１が出力軸２に固定されたＥリング２４を保持するので、第２軸受部材１６とロータ１０との摺動により発生した熱を、Ｅリング２４を介して、出力軸２の側に放出できる。従って、第２軸受部材１６とロータ１０との摺動により発生した熱により、樹脂製の保持部材２１が変形することを防止或いは抑制できる。
【００８２】
また、本例では、ロータ１０は、保持部材２１に保持された金属製の第２軸受板４６（第２金属部材）を備え、第２軸受板４６は、第２軸受部材１６の摺動面７２に摺接するロータ側摺動面４６ａを備える。これにより、ロータ１０において第２軸受部材１６と摺動する部分が、金属からなるので、摺動により発生する熱によって変形することがない。また、第２軸受板４６には、出力軸２に固定されたＥリング２４が摺動面７２とは反対側から当接する。従って、ロータ１０が回転する際に当該ロータ１０を第２軸受部材１６の側に付勢する力が働いて第２軸受板４６が第２軸受部材１６に押し付けられるような状態となる場合でも、第２軸受板４６の位置がＺ軸方向で摺動面７２から離間する方向に変化することがなく、ロータ１０の位置がＺ軸方向で変化することを防止できる。
【００８３】
さらに、第２軸受板４６にはＥリング２４が当接するので、第２軸受部材１６とロータ１０との摺動により発生する熱は、第２軸受板４６から、Ｅリング２４を介して、出力軸２の側に放出される。ここで、出力軸２は、金属製である。従って、ロータ１０と第２軸受部材１６との摺動により発生した熱を、出力軸２を介して、放出しやすい。
【００８４】
また、第２軸受板４６は、その中心孔４８に出力軸２を貫通させた状態で保持部材２１
に保持されており、出力軸２には固定されていない。従って、出力軸２への固定によって第２軸受板４６が歪むことを回避できる。これによりロータ側摺動面４６ａの平面度を維持できるので、ロータ１０の回転精度を確保することが容易となる。
【００８５】
（変形例）
なお、裏羽根１２５の数は、上記の例に限られるものではなく、減らしてもよいし、増やしてもよい。この場合、裏羽根１２５の数を増加させれば、裏羽根１２５によってインペラ７とモータ３の端壁部４との間から流体Ｗ３をより掻き出すことができる。従って、インペラ７をケース体５の側に移動させる力Ｆ１を抑制しやすく、かつ、インペラ７とモータ３の端壁部４との間に発生する吸引力（負圧Ｆ２）を大きくすることができる。また、インペラ７の環状リブ１２４の径を上記の例から変更して、裏羽根１２５の径方向の長さ寸法Ｃを変更してもよい。この場合に、裏羽根１２５の径方向の長さ寸法Ｃを長くすれば、インペラ７とモータ３の端壁部４との間から流体Ｗ３をより掻き出すことが容易となるので、インペラ７をケース体５の側に移動させる力Ｆ１を抑制しやすく、かつ、インペラ７とモータ３の端壁部４との間に発生する吸引力（負圧Ｆ２）を大きくすることができる。
【００８６】
また、上記の例では、裏羽根１２５は径方向に直線状に延びているが、裏羽根１２５は、径方向に対して傾斜していてもよい。例えば、出力軸２の回転方向に対して、内周側が回転方向の前側に位置し、外周側が回転方向の後方に位置するように裏羽根１２５を傾斜させることができる。また、裏羽根１２５の形状を円弧形状などとしてもよい。
【符号の説明】
【００８７】
１…ポンプ装置、２…出力軸、３…モータ、４…端壁部、５…ケース体、６…ポンプ室、６ａ…周壁面、６ｃ…底面、６ｂ…天井面、７…インペラ、８…流体吸入口、９…流体吐出口、１０…ロータ、１１…ステータ、１２…ハウジング、１３…樹脂封止部材、１４…カバー部材、１５…第１軸受部材、１６…第２軸受部材、２０…磁石、２１…保持部材、２３…環状溝、２４…Ｅリング、２５・２６…ローレット形成部、２７…第１被支持部、２８…第２被支持部、３１…テーパー面、３２…凹部、３３・３４…環状面、３７…内周面、３８…出力軸保持部、３９…磁石保持部、３９ａ…テーパー面被い部、３９ｂ…環状板部、４０…接続部、４１…磁石保持筒部分、４２・４３…磁石保持鍔部分、４５…第１軸受板、４５ａ…ロータ側摺動面、４６…第２軸受板、４６ａ…ロータ側摺動面、４７…切欠部、４８…中心孔、４９…塑性変形部、５１…ステータコア、５２…インシュレータ、５３…コイル、５４…コネクタ、５６…環状部、５６ａ・５６ｂ…外周縁部分、５７…突極部、５７ａ…内周側端面、５７ｂ…軸方向端面、５７ｃ…露出部分、６５…封止部材底部、６６…封止部材張出部、６７…封止部材筒部、６７ａ…小径内周面部分、６７ｂ…大径内周面部分、６８ａ…溝、６８…軸受部材保持凹部、７０…支持部、７０ａ…凸部、７１ａ…円弧輪郭部分、７１ｂ…直線輪郭部分、７１…鍔部、７２…摺動面、８１…大径筒部分、８２…小径筒部分、８３…開口部、８４…環状端面、８５…係止突起、８６…開口部、８７…切欠部、８８…防錆剤、９１…カバー部材天井部、９２…カバー部材筒部、９３…貫通穴、９４…円形凹部、９５…シール部材、９７…軸受部材保持筒部、９７ａ…溝、９８…外側環状リブ、９９…内側環状リブ、１００ａ…内側リブ、１００ｂ…外側リブ、１０１…内側環状突部、１０２…環状筒部分、１０３…内側環状面、１０４…外側環状面、１０５…環状突部、１０６…係止爪、１０７…第１段部、１０８…第２段部、１０９…Ｏリング、１１１・１１２…環状筒部分、１１３…環状段部、１１３ａ…環状面、１１４…被係止部、１２１…筒部、１２２…シュラウド、１２３…表羽根、１２４…環状リブ、１２５…裏羽根、１３１…大径環状固定部、１３２…小径環状固定部、１３３…筒状胴部、１３４…環状板部、１３５…吸入管、１３６…吐出管、１３７…凸部、１４０…吸引力発生機構、Ａ…裏羽根の突出量、Ｂ…表羽根の突出量、Ｃ…寸法、Ｄ…間隔、Ｆ１…負圧、Ｆ２…負圧（吸引力）、Ｌ…軸線、Ｌ…中心軸線
【図１】
2018178820.tif 000003
【図２】
2018178820.tif 000004
【図３】
2018178820.tif 000005
【図４】
2018178820.tif 000006
【図５】
2018178820.tif 000007
【図６】
2018178820.tif 000008
【図７】
2018178820.tif 000009
【図８】
2018178820.tif 000010
【図９】
2018178820.tif 000011
【図１０】
2018178820.tif 000012
【図１１】
2018178820.tif 000013
【図１２】
2018178820.tif 000014
【図１３】
2018178820.tif 000015